(57)【要約】      （修正有）【課題】ワイパーが窓ガラス上で縁部／輪郭部の近傍に位置するときに、拭取エッジが窓ガラスからその縁部／輪郭部に移動しにくく、これにより追加の拭き取り要素を設けることなく、窓ガラスを迅速にかつ簡単に拭き取ることができるワイパーを作成する。【解決手段】実質的に可撓性材料からなる細長い清掃片２と、清掃片２を固定するためのホルダとを備えたワイパー１に関する。清掃片２は、その長手方向に沿って見て、窓ガラスを拭くための拭取エッジ４と、実質的にホルダの長さ全体に沿ってホルダを超えて延びる拭取エッジ４を有する拭取片とを有する。ホルダは、拭取片の両端部７の位置で、拭取片に沿ってほぼ拭取エッジ４の位置まで延びる保持部を有する。【選択図】図２
2016101916.tif 000002
【特許請求の範囲】
【請求項１】
実質的に可撓性材料からなる細長い清掃片（２）と、該清掃片（２）を固定するためのホルダ（３）とを備えたワイパー（１）であって、
前記清掃片（２）は、実質的に前記ホルダの長さ全体に沿って該ホルダに対して突出する拭取片（５）を含み、該拭取片（５）は、前記清掃片（２）の長手方向（９）に沿って延びる拭取エッジ（４）を有し、
前記ホルダ（３）は、前記拭取片（５）の両端部（７）の位置にそれぞれ設けられた保持部（６）を有し、
前記保持部（６）は、前記拭取片（５）の表面とは反対側に延びかつ実質的に前記拭取エッジ（４）の位置まで延びて前記ワイパー（１）の使用中に局所的に拭取片（５）を保持する支持表面を有する、
ワイパー（１）。
【請求項２】
前記保持部（６）は、少なくとも前記拭取片（５）の位置で、実質的に、前記清掃片（２）を成す材料の弾性率よりも低い弾性率を有する材料からなる、
請求項１に記載のワイパー（１）。
【請求項３】
前記保持部（６）は、少なくとも前記拭取片（５）の位置で、実質的に、ショアＤ硬度が１５０より小さい材料からなる、
請求項１または２に記載のワイパー（１）。
【請求項４】
前記保持部（６）は、少なくとも前記拭取片（５）の位置で、実質的に、プラスチックからなる、
請求項２または３に記載のワイパー（１）。
【請求項５】
前記清掃片（２）の長手方向（９）に沿った方向から見て、前記保持部（６）の支持表面と前記拭取片（５）の表面との間の距離が前記拭取片（５）の両端部（７）へ向かって小さくなる、
請求項１から４のいずれか１項に記載のワイパー（１）。
【請求項６】
各保持部（６）の支持表面は、前記拭取片（５）の両端部（７）の位置で、前記拭取片（５）の反対側の表面に接する、
請求項５に記載のワイパー（１）。
【請求項７】
前記保持部（６）は、前記両端部（７）の位置で、前記拭取片（５）をその長手方向に対して屈曲した位置に保持する、
請求項６に記載のワイパー（１）。
【請求項８】
各保持部（６）は、前記拭取片（５）の表面に沿ってほぼ前記拭取エッジ（４）の位置まで延び、長手方向（９）に対して５°以上３０°以下の角度（α）を成す端部エッジ（８）を有する、
請求項１から７のいずれか１項に記載のワイパー（１）。
【請求項９】
前記ホルダ（３）は、前記清掃片（２）の長手方向に沿って延びる細長い中央部（１０）を有し、
前記保持部（６）は、前記中央部（１０）の両端部に取り付けられて前記ホルダ（３）の両端部（１１）を構成する、
請求項１から８のいずれか１項に記載のワイパー（１）。
【請求項１０】
前記中央部（１０）は、板部（１７）を有し、該板部（１７）は、前記拭取エッジ（４）を有する前記拭取片（５）の位置まで前記清掃片（２）の上面に沿って延び、これにより前記拭取片（５）は自由な状態であり、
各保持部（６）は端部エッジ（８）を有し、該端部エッジ（８）は、前記板部（１７）から前記拭取片（５）の上方へ連続して延び、かつ、前記上面に沿って見て、前記拭取エッジ（４）の位置で、前記長手方向に対して５°以上２０°以下の角度（β）で前記拭取片（５）の端部に対して斜めに延びる、
請求項９に記載のワイパー（１）。
【請求項１１】
前記中央部（１０）は、実質的に金属からなる、
請求項９または１０に記載のワイパー（１）。
【請求項１２】
前記保持部（６）は、前記清掃片（２）の両端部に沿って延びる、
請求項９から１１のいずれか１項に記載のワイパー（１）。
【請求項１３】
前記清掃片（２）の両端部は、前記拭取エッジ（４）の方向に傾斜している、
請求項１２に記載のワイパー（１）。
【請求項１４】
前記清掃片（２）の両端部は、前記拭取エッジ（４）の方向に分岐して傾斜している、
請求項１３に記載のワイパー（１）。
【発明の詳細な説明】
【技術分野】
【０００１】
本発明は、実質的に可撓性材料からなる細長い清掃片と、清掃片を固定するためのホルダとを備えたワイパーであって、清掃片が拭取片を含み、拭取片が、実質的にホルダの長さ全体に沿ってホルダから突出し、かつ、清掃片の長手方向に沿って延びる拭取エッジを有するもの、に関する。
【０００２】
清掃片は、ホルダに対して取り外し可能に接続され、これにより清掃片が劣化したときに取り替えることができるようにしてもよい。
【背景技術】
【０００３】
既存のワイパーはいずれも、清掃片に設けられた拭取片を有する。この拭取片は、清掃片の長手方向に沿って見てホルダを超えて延びる拭取エッジを有する。拭取片は、ホルダに妨げられることなく窓ガラスの上を自由に動くことができ、これによりワイパーを用いて窓ガラスを拭くことができる。
【０００４】
既存のワイパーを用いて窓ガラスを拭く場合、通常、拭取エッジは窓ガラスに対して長さ全体に沿って位置するので、ストライプ形状を有することなく容易に窓ガラスを拭くことができる。「窓ガラス」は、窓、車などに設けられる窓ガラスであってもよく、複数の空間（または部屋）を互いに（部分的に）分離するガラスパネルなどであってもよい。
【０００５】
しかし、既存のワイパーの欠点として、窓ガラスの縁部／輪郭部を適切に拭き取るのが困難なことがある。これは、拭取エッジの端部が窓ガラスの縁部と接触したときに、縁部側へ移動しやすいことが原因である。その結果、窓ガラスの縁部の近傍で、長さ全体に亘って拭取エッジを押し付けることは非常に困難である。その結果、窓ガラスの縁部では拭き取りが適切に行われず、縁部の後ろに洗浄液が残った状態となる。良好な結果を得るために、追加の拭き取り要素（布きれ（ラグ）など）を用いて窓の縁部を拭くことが多い。これにより、作業量が増加すると共に時間がかかる。
【０００６】
それゆえ、本発明の目的は、ワイパーが窓ガラス上で縁部／輪郭部の近傍に位置するときに、拭取エッジが窓ガラスからその縁部／輪郭部に移動しにくく、これにより追加の拭き取り要素を設けることなく、窓ガラスを迅速にかつ簡単に拭き取ることができるワイパーを作成することである。
【発明の概要】
【０００７】
前記課題は、
実質的に可撓性材料からなる細長い清掃片と、該清掃片を固定するためのホルダとを備えたワイパーであって、
前記清掃片は、実質的に前記ホルダの長さ全体に沿って該ホルダに対して突出する拭取片を含み、該拭取片は、前記清掃片の長手方向に沿って延びる拭取エッジを有し、
前記ホルダは、前記拭取片の両端部の位置にそれぞれ設けられた保持部を有し、
前記保持部は、前記拭取片の表面とは反対側に延びかつ実質的に前記拭取エッジの位置まで延びて前記ワイパーの使用中に局所的に拭取片を保持する支持表面を有する、
ワイパーにより達成される。
【０００８】
ワイパーは、窓ガラスを拭く目的で、前記拭取エッジが窓ガラスに接するように配置される。そして、前記ワイパーには窓ガラスの方へ力が加えられ、前記拭取片の表面が窓ガラスに接する状態で、窓ガラスに沿って動かされる。簡単のため、本明細書ではこの表面を拭取片の下面と称し、これに対向する面を拭取片の上面と称する。前記拭取片の下面は、明らかに、窓ガラスと接触することができるように自由な状態である必要があるので、前記保持部の支持表面は、前記拭取片の両端部の位置で、前記拭取片の上面に沿って延びることになる。窓ガラスを適切に掃除できるように、前記拭取片は所定の可撓性／移動の自由度を有する必要がある。前記拭取片の下面に窓ガラスの方への力を加える場合、前記拭取片はわずかに上方に移動可能である必要があり、従って幾分屈曲可能である必要がある。前記可撓性が与えられるのは、前記拭取片が実質的にその長さ全体に沿って前記ホルダを超えて突出し、従って該ホルダにより妨げられないからである。
【０００９】
前記保持部により、前記拭取片の両端部での移動の自由度が制限される。ここで、前記拭取片の両端部には、前記保持部により窓ガラスの方へ力が加えられ、窓ガラスは拭かれ、その結果、前記拭取片の両端部で上方への屈曲が生じたとしてもわずかである。このようにして、前記保持部は前記拭取片の両端部を保持する。これにより、窓ガラスが拭かれているときに、前記拭取片が窓ガラスから縁部の近傍に移動しやすいという傾向が抑制される。それゆえ、前記拭取エッジには、その長さ全体に亘って窓ガラスの方へ力が常に加えられ、これにより、前記拭取エッジはその長さ全体に亘って拭取機能を発揮できる。そして、窓ガラスを縁部の近傍においても適切に拭くことができ、その結果、追加の拭取要素を設ける必要性がない。
【００１０】
好ましい実施形態では、前記保持部は、少なくとも前記拭取片の位置で、実質的に、前記清掃片を成す材料の弾性率よりも低い弾性率を有する材料からなる。これにより、前記保持部は、前記拭取り片の両端部の位置での屈曲を（部分的に）妨げることができる。前記材料は、好ましくは、所定の弾性率／可撓性を有し、その結果、前記拭取エッジは、窓ガラスを拭く間にその両端部でわずかに移動できる。これにより、前記ワイパーは、窓ガラスを拭く間に窓ガラスを横切って容易に移動できる。前記材料の弾性が小さいことに起因して、前記拭取片の両端部での移動の自由度は、他の部分での移動の自由度に比べて小さく、従って、前記拭取エッジは、窓ガラスを拭いている間に窓ガラスから縁部に移動することがない。
【００１１】
前記保持部の材料は、好ましくは、弾性率Ｅが少なくとも８００Ｎ／ｍｍ２であり、より好ましくは少なくとも１０００Ｎ／ｍｍ２であり、例えば、弾性率が約１２００Ｎ／ｍｍ２のポリプロピレンが用いられる。
【００１２】
前記清掃片の材料は、好ましくは、弾性率Ｅが最大１００Ｎ／ｍｍ２であり、より好ましくは最大５０Ｎ／ｍｍ２であり、例えば、弾性率が約０．５Ｎ／ｍｍ２以上２０Ｎ／ｍｍ２以下のゴムが用いられる。
【００１３】
前記ホルダは、例えば、弾性率が少なくとも５０００Ｎ／ｍｍ２である材料からなる。従って、前記ホルダは、例えば、実質的に、弾性率が約６９００Ｎ／ｍｍ２であるアルミニウムからなる。
【００１４】
好ましくは、前記保持部は、少なくとも前記拭取片の位置で、実質的に、ショアＤ硬度が１５０より小さい材料からなる。より好ましくは、ショア硬度は１００より小さい。最も好ましい実施形態では、前記保持部のショア硬度は最大９０である。前記保持部の材料についての理想的なショア硬度は６０以上９０以下である。前記材料は前記拭取エッジの近傍に位置するので、窓ガラスに接触することがある。明らかなことだが、前記材料は、窓ガラスに接触したとしても、引っ掻き傷を作らないものである必要がある。従って、前記材料の硬度は、好ましくは、ガラスの硬度よりも小さい。ガラスのモース硬度は６以上７以下である。また、好ましくは、前記材料の硬度は、アルミニウムまたは硬質ＰＶＣの硬度よりも小さい。これはなぜなら、窓ガラスの縁部が、通常はモース硬度が約３であるアルミニウム、またはショアＤ硬度が約１００以上約１５０以下である硬質ＰＶＣからなる、からである。前記清掃片は、好ましくはショアＡ硬度が４０以上７０以下であるゴムからなることが多い。
【００１５】
さらに、前記保持部は、少なくとも前記拭取片の位置で、実質的に、プラスチックからなる。プラスチックは容易に手に入ると共に、所望の形状に容易に成形できる。これにより、前記保持部を、前記拭取片の端部での（部分的な）屈曲を最適な形で防止する形状に成形できる。従って、前記材料は、例えばポリプロピレンであってもよい。前記保持部は、好ましくは、ショアＤ硬度が６０以上９０以下のポリプロピレンからなる。
【００１６】
単純にするために、前記保持部は、好ましくは、完全に同じ材料からなる。
【００１７】
好ましい実施形態では、前記清掃片の長手方向に沿った方向から見て、前記保持部（６）の支持表面と前記拭取片の表面との間の距離が、前記拭取片の両端部へ向かって小さくなる。前記保持部は前記拭取片の上面に沿って延びているので、ここでは前記拭取片の上面と前記保持部の支持表面との間の距離を示す。これにより、窓ガラスを拭く間、前記拭取エッジの両端部の屈曲が（部分的に）非常に良好に妨げられる。従って、前記保持部はここに設けられて前記拭取エッジを非常に良好に保持する。前記拭取エッジの両端部近傍にある前記拭取片もまた、前記拭取エッジの両端部自身と比べて程度は低いものの、前記保持部により保持されている。前記拭取片もまた両端部近傍で前記保持部により保持されるので、前記拭取片の両端部の保持は徐々に行われ、その結果、前記拭取片の両端部が良好に保持されて、窓ガラスを拭く間に前記拭取エッジが窓ガラスからその縁部に移動するリスクが低下する。
【００１８】
さらに、好ましくは、各保持部の支持表面は、前記拭取片の両端部の位置で、前記拭取片の反対側の表面に接触する。この例では、窓ガラスを拭く間に前記保持部が前記拭取片に常に接触し、これにより前記拭取片の両端部を窓ガラスへ向けて連続的に押し下げるので、窓ガラスから縁部へ向かう拭取エッジの変位が確実に妨げられる。これにより、窓ガラスを拭く間に前記拭取片の両端部がほとんど屈曲せず、前記拭取エッジが窓ガラスの縁部に至ることがない。
【００１９】
より好ましくは、前記保持部は、前記拭取片の両端部が長手方向に対して屈曲した位置にあるように保つ。「屈曲した位置」という表現は、ワイパーが窓ガラスに対して押し付けられていないときに前記保持部の両端部が下方へ屈曲していることを意味する。この例では、前記拭取片の両端部は、ワイパーが窓ガラスの上に位置する直前に窓ガラスに対して延びるように屈曲する。これにより、前記拭取片の両端部は、ガラスに対してきつく押し付けられ、その結果、窓ガラスを拭く間に前記拭取エッジが窓ガラスからその縁部に移動するリスクが低下する。
【００２０】
好ましい実施形態では、各保持部は、前記拭取片の表面に沿ってほぼ前記拭取エッジの位置まで延び、この例では長手方向に対して５°から３０°の角度（α）を成す末端エッジを有する。さらに好ましくは、この角度は５°以上１５°以下である。その＋／−１０°であっても好ましい。この角度は、前記清掃片に対して垂直な方向に延び、かつ、前記清掃片の長手方向に沿って延びる面に沿って見た角度である。前記末端エッジは、前記拭取片の方向で前記両端部に向かって下方に延びる。従って、前記末端エッジは、角度（α）で前記拭取片に近づく。各拭取エッジの端部は、角度（α）で確実に保持され、該端部の近傍で、前記拭取片もまた充分に保持される。ここで、前記保持部は、前記拭取片の位置で、下方に向かって前記両端部の方向に屈曲する。
【００２１】
好ましくは、前記ホルダは、前記清掃片の長手方向に沿って延びる細長い中央部を有し、前記保持部は、前記中央部の両端部に取り付けられて前記ホルダの両端部を構成する。この例で、前記ホルダの中央部は硬質材料からなり、これにより、前記清掃片は前記ホルダに確実に取り付けられて強度が充分に高くなる。ここで、保持部は別途容易に作成して前記中央部の上に配置できる。このようにして、前記保持部は、例えば、全体がプラスチック（例えばポリプロピレン）からなってもよい。
【００２２】
前記中央部には、例えば、チャネル形状のホルダが設けられ、前記清掃片が実質的にその長さ全体に沿って配置されてもよい。さらに、前記中央部は、前記清掃片の上面に沿って、実質的に前記清掃片の長さ全体に沿って、前記拭取エッジを有する前記拭取片の位置まで延び、これにより前記拭取片を自由にする板部を有していてもよい。これにより、前記清掃片の上方への移動の自由度が制限される一方、前記拭取片は依然として充分な移動の自由度を有する。各保持部は端部エッジを有していてもよい。該端部エッジは、前記板部から前記拭取片の上方へ連続して延び、かつ、前記拭取エッジの位置で、前記上面の面内において、前記長手方向に対して５°以上２０°以下の角度で前記拭取片の端部に対して斜めに延びていてもよい。この例で、前記保持部は、前記拭取エッジの位置で、前記拭取片の端部へ向かって前記板部から前記拭取片の上方へ、前記上面の面内において、前記長手方向に対して５°以上２０°以下の角度で前記長手方向に対して斜めに延びていてもよい。従って、この角度は、前記清掃片の上面に沿って延びる平面に沿って見た角度である。
【００２３】
さらに、好ましくは、前記中央部は実質的に金属（例えばステンレス鋼）からなる。ステンレス鋼は、非腐食性であり、従って水と頻繁に接触するワイパーには理想的である。
【００２４】
さらに、好ましくは、前記保持部は前記清掃片の両端部に沿って略全体に延びる。これにより、前記清掃片は前記拭取片の位置で前記保持部により保持されるだけでなく、前記清掃片の両端部もまた略全体で保持される。その結果、窓ガラスを拭くときに前記清掃片が端部全体に亘って縁部へ移動することが難しくなり、これにより、前記拭取エッジは窓ガラスからその縁部へ向かって移動できなくなる。この例では、前記保持部は前記清掃片の端部全体の情報へ延びる。
【００２５】
さらに、好ましくは、前記清掃片の両端部は、前記拭取エッジの方向に傾斜している。このようにして、前記清掃片の両端部は、例えば前記拭取片の方向に分岐して(divergently)傾斜している。傾斜した両端部は、例えば、清掃片の長手方向に対して、３５°以上６０°以下、より好ましくは４０°以上５０°以下傾斜していてもよい。従って、清掃片の端部は実質的に一点で終端する。これにより、ワイパーの操作性が充分に高くなる。これにより、前記拭取エッジは、窓ガラスを拭く人が位置する表面に対して平行に配置できるが、前記拭取エッジが他の表面に対して或る角度を成すように配置してもよい。その結果、ワイパーを扱う人が窓ガラスの表面を横切って流れるように移動できる。また、窓ガラスを拭く間、水は前記点を介して効率的に排出される。前記拭取エッジが前記表面に対して斜めに位置する場合、水は前記点を介して下方に排出される。そして、前記点の下で洗浄材を保持することにより、窓ガラスを清浄にするために用いられる液体を容易に取り込むことができる。
【００２６】
以下の説明において、本発明に係るワイパーについて詳細に説明する。この詳細な説明の目的は、単に、本発明をどのように実現できるかを示すと共に、必要に応じて本発明の特定の特徴を図示して説明することである。それゆえ、この説明が、この特許の範囲を限定するものであるとみなされることはない。同様に、本発明が利用される領域が、以下の説明を根拠として限定されることはない。
【図面の簡単な説明】
【００２７】
説明では、添付の図面を参照する。
【００２８】
【図１】本発明に係るワイパーの平面図である。
【図２】図１に示すワイパーの正面図である。
【図３】図１と図２に示すワイパーの背面図である。
【図４】図１から図３に示すワイパーのホルダの底面図である。
【図５】図１から図３に示すワイパーの側面図である。
【図６】図１に示す平面図を詳細に示す図である。
【図７】図２に示す正面図を詳細に示す図である。
【図８】図１から図３に示すワイパーの保持部の正面図である。
【図９】図１から図３に示すワイパーの斜視図である。
【発明を実施するための形態】
【００２９】
ワイパー（１）は、ゴムからなる細長い清掃片（２）と、清掃片（２）を固定するためのホルダ（３）とを備える。清掃片（２）は、その長手方向（９）に沿って見て、窓ガラスを拭くための拭取エッジ（４）と、実質的にホルダ（３）の長さ全体に沿ってホルダ（３）を超えて延びる拭取エッジ（４）を有する拭取片（５）とを有する。
【００３０】
ホルダ（３）は、金属からなる細長い中央部（１０）と、中央部（１０）の両端に取り付けられた２つの保持部（６）とを有する。保持部（６）は、ポリプロピレンからなり、所定の可撓性を有する。保持部（６）の可撓性は、清掃片（２）の可撓性と比べて大きくない。保持部（６）は、中央部（１０）に接着されている。変形例では、保持部は接着でなく、クランプすることにより、中央部に取り付けられる。
【００３１】
中央部（１０）は、屈曲した金属板である。この金属板は、中央部（１０）が、チャネル（１４）と板部（１７）とを有するチャネル部（１８）を含み、板部（１７）がチャネル部（１８）の一端から延びるように屈曲している。
【００３２】
各保持部（６）は、中央部（１０）の端で締め付けられて接着されるクランプ部（１２）と、清掃片（２）を保持する支持表面を有する支持部（１３）とを有する。
【００３３】
さらに、清掃片（２）は、ホルダ（３）に対して取り外し可能である。清掃片（２）がホルダ（３）に接続されてワイパー（１）が拭き取り機能を発揮することができるときに、ワイパー（１）は以下のように構成される。
【００３４】
清掃片（２）の長手方向（９）に沿って見て、ホルダ（３）のチャネル（１４）内と保持部（６）の支持部（１３）のチャネル（１５）内に端部片が配置されている。ホルダ（３）のチャネル（１４）と支持部（１３）のチャネル（１５）は、互いに一直線上に設けられている。前記清掃片（２）の端部片は、チャネル（１４，１５）内に位置し、かつ、このようにしてホルダ（３）内で保持されている。清掃片（２）の底面は、チャネル（１４，１５）により、部分的にのみ覆われている。この場合、ホルダ（３）は、清掃片（２）の底面を窓ガラスに対して配置する上で障害とならない。清掃片（２）はゴムからなるので、所定の可撓性を有し、これにより、清掃片（２）はその底面が窓ガラスの上に配置されるときに上方へ屈曲する。中央部（１０）の板部（１７）は、前記端部片と、拭取エッジ（４）を有する拭取片（５）との間で、清掃片（２）の上面に沿って延びている。その結果、清掃片（２）は上方への移動が制限される。これは、清掃片（２）が屈曲しすぎないようにするために必要である。その結果、拭取エッジ（４）は、窓ガラスを拭く間に常に窓ガラスと接触する。
【００３５】
拭取片（５）の両端部（７）の位置で、支持部（１３）の支持表面は、拭取片（５）に沿って、拭取エッジ（４）と実質的に同じ位置まで延びる。ワイパー（１）の前面で延びる支持部（１３）の下端エッジ（８）は、清掃片（２）の上面の面内方向に見て、清掃片（２）の長手方向（９）との間に＋／−１０°の角度（β）を成す。また、下端エッジ（８）は、清掃片（２）の上面に対して垂直な方向に見て、清掃片（２）の長手方向（９）との間に＋／−１０°の角度（α）を成す。さらに、清掃片（２）の両端部は、前側から後側へ向けて傾斜している。その結果、拭取エッジ（４）を有する拭取片（５）は、前記端部片よりも長くなる。清掃片（２）の両端部は、清掃片（２）の長手方向（９）に対して約４８°を成す。保持部（６）の各支持部（１３）は、清掃片（２）の両端部と略同じ高さに位置する。支持部（１３）の端部（１１）は、清掃片（２）の端部に全体が沿って延びる。これにより、実質的に、清掃片（２）の上面が、清掃片（２）の両端部の位置で支持部（１３）により区切られる。その結果、拭取片（５）は、両端部（７）の位置で、その動きが制限される。
【００３６】
さらに、保持部（６）は、清掃片（２）に両端部の位置で接触するように、かつ、中央部（１０）の方向で清掃片（２）から除去されるように構成されている。その結果、保持部（６）と清掃片（２）との間の空間（１６）は、中央部（１０）の方向に増加する。これにより、拭取エッジ（４）を有する拭取片（５）の両端部（７）が確実に保持されると共に、拭取片（５）も両端部（７）の近傍で保持されるが、両端部（７）の保持の程度よりは保持の程度が低くなる。
【００３７】
保持部（６）は、ポリプロピレンからなり、所定の弾性を有する。保持部（６）の弾性は、清掃片（２）のゴムの弾性よりも低い。その結果、保持部（６）は清掃片（２）の屈曲を部分的に妨げることができる。拭取片（５）の両端部は、拭取エッジ（４）の位置で支持部（１３）により部分的に押し下げられ、その結果、拭取片（５）はその両端部（７）に向かって所定の角度屈曲している。支持部（１３）が所定の弾性を有するので、窓ガラスに拭取エッジ（４）を配置することにより、両端部（７）は屈曲しなくなって窓ガラスを拭くことができる。
【００３８】
次に、拭取エッジ（４）は、略直線状に形成され、その結果、ワイパー（１）は長さ全体に亘って窓ガラスを拭くことができる。保持部（６）に起因して、拭取エッジ（４）を有する拭取片（５）の両端部が窓ガラスからその縁部へ移動するリスクが低下する。通常、ホルダ（３）には、その操縦性を向上させるためのハンドルが設けられている。ハンドルは図示していない。
【図１】
2016101916.tif 000003
【図２】
2016101916.tif 000004
【図３】
2016101916.tif 000005
【図４】
2016101916.tif 000006
【図５】
2016101916.tif 000007
【図６】
2016101916.tif 000008
【図７】
2016101916.tif 000009
【図８】
2016101916.tif 000010
【図９】
2016101916.tif 000011
【外国語明細書】
2016101916.tif 000012
2016101916.tif 000013
2016101916.tif 000014
2016101916.tif 000015
2016101916.tif 000016
2016101916.tif 000017
2016101916.tif 000018
2016101916.tif 000019
2016101916.tif 000020
2016101916.tif 000021
2016101916.tif 000022
2016101916.tif 000023
2016101916.tif 000024
2016101916.tif 000025
2016101916.tif 000026
2016101916.tif 000027
2016101916.tif 000028
2016101916.tif 000029
2016101916.tif 000030